(57)【要約】【課題】  デジタルカメラを安定して自立させると共に俯角または仰角を任意に設定可能にするデジタルカメラ保持具を実現する。【解決手段】  デジタルカメラ２００の底面にねじ締結されるプレート１０と、前記プレート１０に設けた一対の対向した立設部１１に回動自在に取り付く第１の略コの字形脚２０及び第２の略コの字形脚３０とからなり、第１の略コの字形脚２０及び第２の略コの字形脚３０をそれぞれ任意の回動位置に止める手段として、プレート１０が備える第１の立設部１１と前記第１の略コの字形脚２０との当接部間、及び前記立設部１１と前記第２の略コの字形脚３０との当接部間にそれぞれ湾曲したワッシャを配設し締結ピンで連繋した構成。【選択図】図４
2012068603.tif 000002
【特許請求の範囲】
【請求項１】
デジタルカメラの底面にねじ締結されるプレートと、前記プレートに設けた立設部に回動自在に取り付く第１の略コの字形脚及び第２の略コの字形脚とからなり、前記第１の略コの字形脚及び第２の略コの字形脚をそれぞれ任意の回動位置に止めることができ、前記デジタルカメラを任意の角度に保持可能にしたことを特徴とするデジタルカメラ保持具。
【請求項２】
デジタルカメラの底面側に第１の略コの字形脚及び第２の略コの字形脚を折り畳み可能としたことを特徴とする請求項１記載のデジタルカメラ保持具。
【請求項３】
第１の略コの字形脚及び第２の略コの字形脚をそれぞれ任意の回動位置に止める手段として、プレートが備える立設部と前記第１の略コの字形脚との当接部間、及び前記立設部と前記第２の略コの字形脚との当接部間にそれぞれ摩擦部材を配設したことを特徴とする請求項１または２のいずれか１項に記載のデジタルカメラ保持具。
【請求項４】
摩擦部材を弾性オーリング、弾性平ワッシャ、スプリングワッシャ、湾曲した金属製ワッシャの内、いずれか一つとしたことを特徴とする請求項３記載のデジタルカメラ保持具。
【発明の詳細な説明】
【技術分野】
【０００１】  本発明は、デジタルカメラを安定して自立させると共にレンズ光軸の俯角または仰角を任意に設定可能にするデジタルカメラ保持具に関する。
【背景技術】
【０００２】  カメラを保持し、カメラボディの水平方向回転角度やカメラレンズ光軸の仰角または俯角等を所望に設定する器材として一般に三脚が用いられている。最近では極薄で小型のデジタルカメラが広く普及しているが、カメラボディの厚みが薄く、平坦な設置面以外では自立しにくい。たとえ自立できても不安定で、デジタルカメラのレンズ光軸を任意の角度に設定しにくかった。これを解決するものとして、デジタルカメラ用クレードルの可動壁を簡易三脚として兼用するデジタルカメラ保持具が特開２００３−０３２５２８号公報に提案されている。
【先行技術文献】
【特許文献】
【０００３】
【特許文献１】  特開２００３−０３２５２８号公報
【発明の概要】
【発明が解決しようとする課題】
【０００４】  しかし、従来のカメラ三脚は重くてかさばり携帯に不便である。小さな手提げバッグやカメラ用袋にも入らなかった。特許文献１におけるクレードルは、従来の三脚に較べ小型軽量に構成されているが、それでも数百グラムの重さを有している。また、前記クレードルの可動壁をデジタルカメラ底面側に折り畳めず、嵩が大きい。デジタルカメラに前記クレードルを装着したまま持ち歩く場合も嵩ばり、携帯に不向きである。さらに、前記クレードルをデジタルカメラに装着したままではカメラ操作性を阻害する恐れが多分にあった。【０００５】  本発明のデジタルカメラ保持具は、デジタルカメラの底面にねじ締結した状態でデジタルカメラの底面側に脚部を折り畳んで嵩を小さくし携帯に便利にすること、従来のデジタルカメラ用手提げ袋内に容易に収納できること、重さ１０グラム程度の超軽量保持具を実現すること、デジタルカメラの底面にねじ締結した状態で操作性を何ら阻害しないこと、さらには、平面だけでなく凹凸面においても安定して自立でき、かつデジタルカメラの仰角または俯角を任意に設定できること等を目的とする。
【課題を解決するための手段】
【０００６】  本発明にかかるデジタルカメラ保持具は、デジタルカメラの底面にねじ締結されるプレートと、前記プレートに設けた立設部に回動自在に取り付く第１の略コの字形脚及び第２の略コの字形脚とからなり、前記第１の略コの字形脚及び第２の略コの字形脚をそれぞれ任意の回動位置に止めることができ、前記デジタルカメラを任意の角度に保持可能にしたことを特徴としたもので、これにより重さ１０グラム程度の超軽量を実現できる。デジタルカメラの底面にねじ締結した状態で操作性を何ら阻害しない。さらには平面だけでなく凹凸面においても安定して自立でき、デジタルカメラの仰角または俯角を任意に設定できる。【０００７】  さらに本発明にかかるデジタルカメラ保持具は上記構成において、デジタルカメラ底面側に第１の略コの字形脚及び第２の略コの字形脚を折り畳み可能としたことを特徴としたもので、これによりデジタルカメラの底面にプレートをねじ締結した状態で第１の略コの字形脚及び第２の略コの字形脚を折り畳んで嵩を小さくできる。また、デジタルカメラ用手提げ袋内に容易に収納できる。さらに、デジタルカメラの底面にねじ締結した状態でも操作性を何ら阻害しない。【０００８】  さらに本発明にかかるデジタルカメラ保持具は上記構成において、第１の略コの字形脚及び第２の略コの字形脚をそれぞれ任意の回動位置に止める手段として、プレートが備える立設部と前記第１の略コの字形脚との当接部間、及び前記立設部と前記第２の略コの字形脚との当接部間にそれぞれ摩擦部材を配設したことを特徴としたもので、これにより保持具の構成が簡単になり低価格を実現できる。【０００９】  さらに本発明にかかるデジタルカメラ保持具は上記構成において、摩擦部材を弾性オーリング、弾性平ワッシャ、金属製スプリングワッシャ、湾曲した金属ワッシャの内、いずれか一つとしたことを特徴としたもので、これにより保持具の構成が簡単になり低価格及び重さを１０グラム程度の超軽量を実現できる。
【発明の効果】
【００１０】  上記構成により本発明のデジタルカメラ保持具は、デジタルカメラの底面にねじ締結した状態でデジタルカメラ底面側に折り畳めるので嵩を小さくできる。また、デジタルカメラ用手提げ袋内に容易に収納できる。さらに、重さを１０グラム程度以下にでき超軽量を実現できる。さらに、デジタルカメラの底面に保持具をねじ締結した状態でも操作性を何ら阻害しない。さらに、平面だけでなく凹凸面においても安定して薄型のデジタルカメラを自立できる。さらに、デジタルカメラの仰角または俯角を任意に設定できる。さらに、構成部品が少なく取り扱いが簡便で故障が少ない。そして低価格を実現できる。
【図面の簡単な説明】
【００１１】
【図１】  本発明の一実施例におけるデジタルカメラ保持具の正面図
【図２】  図１の平面図
【図３】  図１の底面図
【図４】  図１の左側面図
【図５】  図１を構成するプレートの平面図
【図６】  図５の側面図
【図７】  図１を構成する締結ねじの正面図
【図８】  図１を構成する締結ピンの正面図
【図９】  図１を構成する摩擦部材の平面図
【図１０】  図９の側面図
【図１１】  図１を構成する第１の略コの字形脚の平面図
【図１２】  図１１の側面図
【図１３】  図１を構成する第２の略コの字形脚の平面図
【図１４】  図１３の側面図
【図１５】  デジタルカメラの底面に本発明のデジタルカメラ保持具を取り付け自立させた状態の側面図
【図１６】  本発明のデジタルカメラ保持具によりデジタルカメラを俯角方向に傾けた状態の側面図
【図１７】  本発明のデジタルカメラ保持具によりデジタルカメラを仰角方向に傾けた状態の側面図
【発明を実施するための形態】
【００１２】  本発明にかかるデジタルカメラ保持具１００は上述の通りである。図１〜図４及び図１５〜図１７に示す本発明のデジタルカメラ保持具１００は、デジタルカメラ２００の底面にねじ締結されるプレート１０と、前記プレート１０に設けた一対の対向した立設部１１、１１に回動自在に取り付く第１の略コの字形脚２０及び第２の略コの字形脚３０とからなる。前記第１の略コの字形脚２０及び第２の略コの字形脚３０はそれぞれ独立して任意の回動位置に止めることができ、前記デジタルカメラ２００のレンズ光軸を任意の仰角または俯角に設定可能にした。
【００１３】  図５、図６に本発明のデジタルカメラ保持具１００を構成するプレート１０を示す。プレート１０は少なくとも一対の対向した第１の立設部１１、１１を配設してなる。一対の対向した立設部１１、１１は貫通孔１４、１５をそれぞれ備えてなる。貫通孔１４に第１の略コの字形脚２０を、貫通孔１５に第２の略コの字形脚３０を締結ピン５０を用いて回動可能に取り付けてなる。前記プレート１０は金属板をプレス加工で所望の形状に成形するか、樹脂部材を射出成形するなど任意の手段で構成すればよい。樹脂部材としてはポリスチレン、塩化ビニール、ＡＢＳ等任意の樹脂部材を用いることができる。
【００１４】  プレート１０に第１の略コの字形脚２０及び第２の略コの字形脚３０を回動可能に、かつそれぞれの脚が独立して任意の回動位置に止める手段は、プレート１０が備える第１の立設部１１、１１と前記第１の略コの字形脚２０との当接部間、及び前記立設部１１、１１と前記第２の略コの字形脚３０との当接部間にそれぞれ摩擦部材を計４個配設し、締結ピン５０で連繋する構成とするのが好ましい。締結ピン５０の一例を図８に示す。軸の一
2012068603.tif 000003
【００１５】  前記摩擦部材は、ゴムまたは樹脂部材からなる弾性オーリング、ゴムまたは樹脂部材からなる弾性平ワッシャ、金属製スプリングワッシャ、湾曲した金属製ワッシャの内、いずれか一つとするのが望ましい。なお、摩擦部材を配設することに代え、第１の略コの字形脚２０及び第２の略コの字形脚３０の所定部位にゴム塗料を塗布する構成としてもよい。
【００１６】  さらに、本発明にかかるデジタルカメラ保持具は、デジタルカメラ２００の底面側にプレート１０の対向した第１の立設部１１、１１を配設する構成としている。これは第１の略コの字形脚２０及び第２の略コの字形脚３０をデジタルカメラ２００の底面側に薄型に折り畳み可能とするためである。なお、プレート１０に設けた立設部１２、１２と前記第１の略コの字形脚２０及び第２の略コの字形脚３０とが相互に重ならないよう構成してなることは言うまでもない。
とする為である。
【００１７】  図１１〜図１４に第１の略コの字形脚２０及び第２の略コの字形脚３０を示す。第１の略コの字形脚２０及び第２の略コの字形脚３０は、金属部材たとえば軟鋼製板材、アルミニウム板などをプレス加工またはレーザー加工して形成するのが望ましい。軟鋼の場合は防錆処理たとえばニッケルメッキ、塗装等を施すのが望ましい。アルミニウムの場合はアルマイト処理を施すのが望ましい。なお、第１の略コの字形脚２０及び第２の略コの字形脚３０を樹脂部材で射出成形してよいことは自明である。
【実施例】
【００１８】  図１〜図６に本発明のデジタルカメラ保持具を構成するプレート１０を示す。プレート１０は厚さ１ｍｍの略矩形アルミニウム板をプレス加工により四辺を折り曲げ加工し、第１の対向した立設部１１，１１及び第２の対向した立設部１２，１２を高さ４ｍｍ程度に設けた。プレート１０の外形寸法は７０ｍｍ×１８ｍｍ×立設部の高さ４ｍｍとした。第１の対向した立設部１１，１１には貫通孔１４、１５を設けた。前記貫通孔１４、１５は第１の略コの字形脚２０及び第２の略コの字形脚３０を取り付ける為それぞれ対称位置に配設している。なお、第２の対向した立設部１２、１２はプレート１０の強度を確保するため設けたものである。【００１９】  デジタルカメラ底面に配設される雌ねじの位置はメーカによって異なる。この為、前記プレート１０は任意のメーカのデジタルカメラに取り付け可能とする長穴１３（幅５ｍｍ×５５ｍｍ長さ）を備えてなる。なお、プレート１０は形状加工後に金色にアルマイト処理した。【００２０】  図１１〜図１４に示す第１の略コの字形脚２０及び第２の略コの字形脚３０は、厚さ１ｍｍのアルミニウム板をプレス加工により略コの字形に成形し金色のアルマイト処理を施した。脚の幅は略４ｍｍとした。第１の対向した立設部１１、１１への取り付けに際し、立設部１１、１１と前記第１の略コの字形脚２０との当接部間、及び前記立設部１１、１１と前記第２の略コの字形脚３０との当接部間にそれぞれ湾曲した金属ワッシャ６０を計
2012068603.tif 000004
った。【００２１】  上記構成のプレート１０をデジタルカメラ２００の底面に締結ねじ４０により取り付けた状態を図１〜図３に示す。プレート１０の第１の対向した立設部１１、１１をデジタルカメラ２００の底面側に配設することにより図３及び図４に示す様に、前記第１の略コの字形脚２０及び第２の略コの字形脚３０をコンパクトに折り畳み嵩を小さくできる。勿論、第１の略コの字形脚２０及び第２の略コの字形脚３０を任意の回転角度位置に開脚することができる。【００２２】  前記第１の略コの字形脚２０及び第２の略コの字形脚３０を折り畳んだ状態において、プレート１０に設けた立設部１２、１２と前記第１の略コの字形脚２０及び第２の略コの字形脚３０とが相互に重ならないよう構成している。さらに、図４の折り畳んだ状態及び図１５の開脚した状態において、第１の略コの字形脚２０及び第２の略コの字形脚３０の端面がプレート１０の底面に当接するよう構成してなる。【００２３】  図４の折り畳み状態にあった第１の略コの字形脚２０及び第２の略コの字形脚３０を、それぞれ１８０度開脚しデジタルカメラ２００を真っ直ぐ自立させた状態の側面図を図１５に示す。前記第１の略コの字形脚２０及び第２の略コの字形脚３０が１８０度開脚することによりデジタルカメラの設置面積が実質的に増え、デジタルカメラ２００の重心は開脚面積内に位置する。その結果、デジタルカメラ２００は安定して自立する。設置面に若干の凹凸や傾き等があってもデジタルカメラは倒れない。【００２４】  図１６は、第１の略コの字形脚２０を略１５０度、第２の略コの字形脚３０を１８０度開脚することによりデジタルカメラ２００のレンズ光軸を俯角方向に傾けた状態の側面図を示す。図１７は、第１の略コの字形脚２０を１８０度、第２の略コの字形脚３０を略１５０度開脚することによりデジタルカメラ２００のレンズ光軸を仰角方向に傾けた状態の側面図を示す。このように本発明のデジタルカメラ保持具１００はデジタルカメラ２００を安定して自立させると共に任意の角度に傾けることが出来る。
【産業上の利用可能性】
【００２５】  本発明はデジタルカメラを自立させたり任意の角度に傾けることの他に、液晶テレビ等の映像機器、ラジオ等の音響機器など各種薄型の電子機器を自立させる保持具として、または任意の俯角や仰角を設定する保持具として用いることができる。
【符号の説明】
【００２６】１０  プレート
１１  第１の対向した立設部
１２  第２の対向した立設部
１３  長穴
１４、１５、２１、３１、６１  貫通孔
２０  第１の略コの字形脚
３０  第２の略コの字形脚
４０  締結ねじ
４１  ねじ頭
４２  ドライバー溝
４３  ねじ部
５０  締結ピン
５１  フランジ部
５２  カシメ軸部
６０  湾曲したワッシャ
１００  デジタルカメラ保持具
２００  デジタルカメラ
【図１】
2012068603.tif 000005
【図２】
2012068603.tif 000006
【図３】
2012068603.tif 000007
【図５】
2012068603.tif 000008
【図６】
2012068603.tif 000009
【図７】
2012068603.tif 000010
【図８】
2012068603.tif 000011
【図９】
2012068603.tif 000012
【図１０】
2012068603.tif 000013
【図１１】
2012068603.tif 000014
【図１２】
2012068603.tif 000015
【図１３】
2012068603.tif 000016
【図１４】
2012068603.tif 000017
【図４】
2012068603.tif 000018
【図１５】
2012068603.tif 000019
【図１６】
2012068603.tif 000020
【図１７】
2012068603.tif 000021